(57)【要約】【解決手段】  拡張管継手は、雄ネジ（ＦＭ）と、第１軸当接面（ＳＢ１）、第１内側面（ＳＩ１）と第１外側面（ＳＥ２）、第２当接面（ＳＢ２）を有する第１環状リップ（Ｌ１）とを有する第１雄管要素（ＥＭ）、そして、雌ネジ（ＦＦ）と、第３当接面（ＳＢ３）、第２外側面（ＳＥ２）と第２内側面（ＳＩ２）、そして、第２外側面（ＳＥ２）とともに第１リップ（Ｌ１）と合致する環状凹部（ＬＯ）を規定する第３内側面（ＳＩ３）と第４軸当接面（ＳＢ４）を有する第２環状リップ（Ｌ２）とを有する第２雌管部（ＥＦ）から構成される。雄管要素（ＥＭ）は、当初、第２当接面（ＳＢ２）に延伸する第４内側面（ＳＩ４）の範囲で、局部的環状に加えられた厚み（ＳＡ１）からなる。雌管要素（ＥＦ）は、その第３内側面（ＳＩ３）上で、ネジ込み後、第１外側面（ＳＥ１）と環状に加えられた厚み（ＳＡ１）の範囲で配置される環状溝（Ｇ１）からなる。雌雄管要素は、ネジ込み後、第１リップ（Ｌ１）は、環状凹部（ＬＯ）に結合され、第２（ＳＢ２）及び第３（ＳＢ３）当接面は、プラスティック変形範囲での直径の拡張の間、第１外側面の範囲内で、溝形状の部分を持ち、それによってロック・シール接触部になる環状肩部（ＥＰ）の形成を可能にするように第２及び第３当接面がそれぞれに対して静止するような方法で形成される。
2007512486.tif 000002
【特許請求の範囲】
【請求項１】
一方で、雄ネジ（ＦＭ）を形成した第１部分（Ｐ１）と、第１部分に延びる第２部分とからなり、i）第１外側面（ＳＥ１）、ii）第１軸方向当接面（ＳＢ１）と第１内側面（ＳＩ１）とを持ち、その軸方向長さにわたって第１外側面（ＳＥ１）によって境界を定められる第１環状リップ（Ｌ１）、及び、iii）第２当接面（ＳＢ２）、からなる第１管要素（ＥＭ）と、
他方で、i）前記雄ネジ（ＦＭ）に合致し、そこにねじ込まれる雌ネジ（ＦＦ）、ii）第３当接面（ＳＢ３）、前記第１内側面（ＳＩ１）に対向して配列された第２外側面（ＳＥ２）、そして、第２内側面（ＳＩ２）を有する第２環状リップ（Ｌ２）、iii）第４軸方向当接面（ＳＢ４）、及び、iv）前記第４軸方向当接面（ＳＢ４）と前記雌ネジ（ＦＦ）の間に延伸し、前記第２外側面（ＳＥ２）と第４当接面（ＳＢ４）と共に、前記第１リップ（Ｌ１）に合致する環状凹部（ＬＯ）を規定する第３内側面（ＳＩ３）、からなる第２管要素（ＥＦ）と、からなり、
前記第１管要素（ＥＭ）は、前記第２当接面（ＳＢ２）に延伸する第４内側面（ＳＩ４）の範囲で、選択された局部的環状に加えられた厚み（ＳＡ１）からなり、前記第２管要素（ＥＦ）は、その第３内側面（ＳＩ３）の選択された場所で、前記第１外側面（ＳＥ１）と前記環状に加えられた厚み（ＳＡ１）の範囲で事実上配置される内側環状溝（Ｇ１）からなり、
前記第１（ＥＭ）及び第２（ＥＦ）管要素は、前記第１リップ（Ｌ１）が、前記環状凹部（ＬＯ）に結合され、事実上拡張可能な官継手に実行したプラスティック変形範囲での直径の拡張の間、前記第１外側面（ＳＥ１）の範囲内で、少なくとも溝（Ｇ１）の形状の部分を持ち、それによってシール干渉接触部になる環状肩部（ＥＰ）の形成を可能にするように、少なくとも、前記第２当接面（ＳＢ２）が第３当接面（ＳＢ３）に対して静止するか、前記第１当接面（ＳＢ２）が第４当接面（ＳＢ３）に対して静止するか、のどちらか一つのような方法で形成されることを特徴とする拡張管継手。
【請求項２】
前記第１（ＥＭ）及び第２（ＥＦ）管要素は、前記拡張後、他のシール干渉接触部が前述第１リップ（Ｌ１）の内部端部分と前記第２外側面（ＳＥ２）の間に規定されるような方法で形成される、ことを特徴とする請求項１に記載された継手。
【請求項３】
前記第１管要素（ＥＭ）は、当初、前記第２当接面（ＳＢ２）の方向に増加している局部環状の加えられた厚み（ＳＡ１）有することを特徴とする請求項１又は請求項２に記載された継手。
【請求項４】
前記局部環状に加えられた厚み（ＳＡ１）が約５°と約３０°の間、さらに好ましいのは約１０°と約２０°の間のスロープで事実上連続して増加することを特徴とする請求項３に記載の継手。
【請求項５】
前記第１管要素（ＥＭ）は、当初、その第１部分（Ｐ１）の範囲内で、前記雄ネジ（ＦＭ）の反対のその内部面にわたって、局部環状セットバック（ＤＣ２）を定義する円錐形の頸部を有することを特徴とする請求項１乃至請求項４のいずれか一つに記載の継手。
【請求項６】
前記頸部が約２°と約２０°の間の長手方向Ａに対してスーロープで事実上連続して成長することを特徴とする請求項５に記載の継手。
【請求項７】
第２部分（Ｐ２）の前記最大に加えられた厚み（ＳＡ１）は、当初、ドリフトの直径の機能として選択された値よりも少ないことを特徴とする請求項１乃至請求項６のいずれか一つに記載の継手。
【請求項８】
拡張の間、前記溝（Ｇ１）の方向に前記第１リップ（Ｌ１）の変形を増加するように、前記第２リップ（Ｌ２）の前記第２内側面（ＳＩ２）は、当初、前記第３当接面（ＳＢ３）に隣接した領域に選択された局部環状に加えられた厚み（ＳＡ２）を有することを特徴とする請求項１乃至請求項７のいずれか一つに記載の継手。
【請求項９】
前記第２リップ（Ｌ２）の前記加えられた厚み（ＳＡ２）は、第１管要素の加えられた厚み（ＳＡ１）以下であることを特徴とする請求項８に記載の継手。
【請求項１０】
前記第２リップ（Ｌ２）の前記加えられた厚み（ＳＡ２）は、当初、ドリフトの直径の機能として選択された値以下であることを特徴とする請求項１乃至請求項９のいずれか一つに記載の継手。
【請求項１１】
前記第２管要素（ＥＦ）は、当初、長手方向にある第２リップ（Ｌ２）の伸張（ＰＲ）と横断面にある凹部（ＬＯ）の伸張（Ｈ）の間の割合として、約１と約３の間で、さらに好ましくは約１．２と約１．６の間を有することを特徴とする請求項１乃至請求項１０のいずれか一つに記載の継手。
【請求項１２】
前記溝（Ｇ１）は、当初、少なくとも二つの曲線部分（Ｃ１、Ｃ２）からなることを特徴とする請求項１乃至請求項１１のいずれか一つに記載の継手。
【請求項１３】
前記曲線部分（Ｃ１、Ｃ２）は、当初、事実上同一の曲率半径を有することを特徴とする請求項１２に記載の継手。
【請求項１４】
前記曲率半径は、当初、約２ｍｍと約２０ｍｍの間であることを特徴とする請求項１３に記載の継手。
【請求項１５】
前記二つの曲線部分（Ｃ１、Ｃ２）は、事実上円筒形の中央部分（ＰＣ）によって分けられていることを特徴とする請求項１２乃至請求項１４のいずれか一つに記載の継手。
【請求項１６】
管要素（ＥＭ、ＥＦ）の少なくとも一つは、とても長い管（Ｔ１、Ｔ２）の一部を形成し、前記溝（Ｇ１）は、当初、半径方向の深さ（Ｈ‘）を持ち、その最大値は、溝（Ｇ１）の底で材料片が前記管又は管両方（Ｔ１、Ｔ２）の一般部分の最小片部の製品より、そして張力の下での継手の効率よりも大きいように選択されることを特徴とする請求項１２乃至請求項１５のいずれか一つに記載の継手。
【請求項１７】
前記雄（ＦＭ）及び雌（ＦＦ）ネジは、円錐形型又は円筒形型のネジから成るグループによって選択され、少なくとも一つの管要素（ＥＭ、ＥＦ）にわたって各々形成されることを特徴とする請求項１乃至請求項１６のいずれか一つに記載の継手。
【請求項１８】
前記第１（ＥＭ）及び第２（ＥＦ）管要素は、ネジ止め後、前記第１リップ（Ｌ１）が弾性変形範囲で軸方向に圧縮されるような方法で形成されていることを特徴とする請求項１乃至請求項１７のいずれか一つに記載の継手。
【請求項１９】
前記第１（ＥＭ）及び第２（ＥＦ）管要素は、前記ネジ止めの間、前記第１当接面（ＳＢ１）が第４当接面（ＳＢ４）に対して静止し、それから前記第２当接面（ＳＢ２）が前記第３当接面（ＳＢ３）に対して静止するような方法で形成されていることを特徴とする請求項１乃至請求項１８のいずれか一つに記載の継手。
【請求項２０】
前記第２（ＳＢ２）及び第３（ＳＢ３）当接面は、当初、それぞれ凸面及び凹面の円錐形の表面を持ち、前記ネジ止め後及び前記延伸前、前記第１内側面（ＳＩ１）と前記第２外側面（ＳＥ２）の間に、シール干渉接触部を可能にするように長手方向Ａに横切る平面に対して事実上同一の傾斜を有することを特徴とする請求項１９に記載の継手。
【請求項２１】
前記傾斜は、当初、約＋５°と＋３０°の間であることを特徴とする請求項２０に記載の継手。
【請求項２２】
前記第１リップ（Ｌ１）の前記第１内側面（ＳＩ１）は、当初、約０．１°と約１５°の間の角度によって前記長手方向Ａに対して傾斜していることを特徴とする請求項１８乃至２１のいずれか一つに記載の継手。
【請求項２３】
前記雄（ＦＭ）及び雌（ＦＦ）ネジは、当初、約−３°と−１５°の負の角度を有する伝達面を形成しているネジからなることを特徴とする請求項１乃至請求項２２のいずれか一つに記載の継手。
【請求項２４】
前記雄（ＦＭ）及び雌（ＦＦ）ネジは、当初、約＋１０°と＋３０°の間の正の角度を有する挿入面を形成しているネジからなることを特徴とする請求項１乃至請求項２３のいずれか一つに記載の継手。
【請求項２５】
前記雄（ＦＭ）及び雌（ＦＦ）ネジは、ネジ止め後及び拡張前に、約０．０５ｍｍと約０．３ｍｍの間の挿入面の間に軸方向の遊びを有することを特徴とする請求項２４に記載の継手。
【請求項２６】
前記第１管要素（ＥＭ）は、第１外側面（ＳＥ１）の範囲内で、その第１部分（Ｐ１）の前に、内部の方へ局部環状セットバック（ＤＣ１）を規定する円錐形の面取り部を有することを特徴とする請求項１乃至請求項２５のいずれか一つに記載の継手。
【請求項２７】
前記面取り部が約８°と約１２°の間の長手方向に対して事実上連続したスロープを有することを特徴とする請求項２６に記載の継手。
【請求項２８】
前記第２リップ（Ｌ２）の前記第２外側面（ＳＥ２）は、当初、前記第３当接面（ＳＢ３）に接続している範囲内で、約８°と約１２°の間、さらに好ましいのは約１０°の角度で前記長手方向Ａに対して傾斜した環状部分を有することを特徴とする請求項１乃至請求項２７のいずれか一つに記載の継手。
【請求項２９】
前記第１管要素（ＥＭ）は、第１円形外側面（ＳＥ１）を形成することを特徴とする請求項１乃至請求項２８のいずれか一つに記載の継手。
【請求項３０】
前記第２管要素は事実上対称的な雌/雌型接続スリーブ（Ｍ）の一部を形成し、前記第１管要素（ＥＭ）はとても長い管の端部の一部を形成することを特徴とする請求項２８又は請求項２９に記載の継手。
【請求項３１】
前記スリーブ（Ｍ）は、二つの第２管要素（ＥＦ１、ＥＦ２）によって両側に延伸し、当初、外側面にわたって、この領域（Ｇ２）の範囲内で前記スリーブ（Ｍ）の最初の厚みが管（Ｔ１、Ｔ２）の一般部分の片部の製品より厚い若しくは同等であるように選択された減少した厚みを有する環状領域（Ｇ２）を形成した中央部分（ＰＣＭ）からなることを特徴とする請求項３０に記載の継手。
【請求項３２】
前記請求項のいずれか一つによる拡張管継手に基づいて、
−少なくとも、第２当接面（ＳＢ２）が第３当接面（ＳＢ３）に対して静止し、又は、第１当接面（ＳＢ１）が第４当接面（ＳＢ４）に対して静止し、前記第１リップ（Ｌ１）が前記環状凹部（ＬＯ）に収容されるまで、前記第１（ＥＭ）及び第２（ＥＦ）管要素をネジ止めする、そして、
−前記拡張可能な管継手は、前記第１外側面（ＳＥ１）の範囲内で、溝（Ｇ１）の形の少なくとも一部を有し、それと共にシール干渉接触部になる環状肩部（ＥＰ）を規定するように、プラスティック変形範囲での直径拡張にさらされる
ことからなることを特徴とする拡張管継手を生産する方法。
【請求項３３】
前記拡張は、前記第１リップ（Ｌ１）の内部端部分と前記第２外側面（ＳＥ２）の間の他のシール干渉接触部を規定することを特徴とする請求項３２に記載の方法。
【請求項３４】
前記ネジ止めは、第１に前記第１リップ（Ｌ１）が弾性変形範囲で軸方向の圧縮にさらされる原因となるように、前記第１当接面（ＳＢ１）が前記第４当接面（ＳＢ４）に対して押圧されるように強いることを特徴とする請求項３２又は請求項３３に記載の方法。
【請求項３５】
前記ネジ止めは、前記第１当接面（ＳＢ１）が第４当接面（ＳＢ４）に対して静止するまで実行され、それから第２当接面（ＳＢ２）が第３当接面（ＳＢ３）に対して静止するまで実行されることを特徴とする請求項３２乃至請求項３４のいずれか一つに記載の方法。
【請求項３６】
前記継手の半径方向の拡張は、少なくとも１０％に等しい拡張割合で生じることを特徴とする請求項３２乃至請求項３５のいずれか一つに記載の方法。
【発明の詳細な説明】
【技術分野】
【０００１】
本発明は、例えば炭化水素井戸、又は、地熱井戸のような類似した井戸に使用するような管継手の分野に関する。
【背景技術】
【０００２】
これらの継手は通常とても長い管同士を接続するため、又は、とても長い管とスリーブを共に接続するために使われる。このように継手は一連のケースや管が形成されることを可能にする。
【０００３】
さらに、これらの継手は内部と外部の間のおおきな曲がり、張力、圧縮力、時折あるねじれの圧力、またかなりの圧力の変化に耐えることができなければならない。さらにまた、これらの継手はある場合には気密になっていなければならない。これらの理由により、この継手は、しばしばネジタイプのものであり、スリーブや管は通常スチールや（多分熱処理によって得られた）高い屈曲点を有する合金から作られる。ねじ継手の場合、たいていの場合、気密性は、“メタルオンメタル”型接触で干渉することでシール面によって供給される。
【０００４】
管の最初の全体的なサイズを減らし、同一の直径を有する井戸の穴を開けることを可能にするために、ＵＳ６，６０４，７６３号公報及びＷＯ０３/０７０１８６号公報で提案されている、“ボール”として知られている拡張ツールを用いて本来の場所にて強く直径を拡張する。例えばＥＰ０４８８９１２号公報で説明されているシールドネジ継手は、そのような拡張には耐えることができるが、拡張の間にシール性を失い、雄シール面を支えている雄部の端部突出部が、拡張の間に軸の方へ落ち（“バナナ”状態）、シール性を破壊する。
【０００５】
この問題を解決するために、出願人はＷＯ０２/０１１０２号公報でネジ管継手を提案している。そのネジ管継手の雄突出部は、雌溝にはめ込まれた環状小片と共に一つの端部を供給する。前記溝は、前記小片をサポートし、拡張時に雄小片が軸の方へ落ちるのを防ぐ。
【０００６】
しかしながら、このタイプのネジ継手は拡張割合が１０％を超えた時、十分に高いシール性を持たない。拡張ボールによって生成された変形は、雄小片と溝の間の接触をずらし、又は排除することもある。そして、これが干渉接触を減らす又はさらに排除することによってシール面間の干渉接触をずらす。
【０００７】
用語“干渉接触”は、現在の文脈では、２つの接触面間の接触圧を発現させている接触を示す。接触圧がより高いと、流動圧がより高くなり継手はシール性が壊れることなく耐えることができる。内部又は外部のネジ継手におよぼされるかもしれない流動圧に加えて、軸張力、圧縮力のある負荷が接触圧とそのためのシール特性を変更するかもしれない。言い換えれば、これらの継手の具体化に起因して、内部圧又は外部圧に関しては一致しないかもしれず、負荷の機能として安定しないかもしれない。
【０００８】
状態を改善するために、出願人は（２００２年１月３日にファイルされた特許公報ＦＲ０２/０００５５号の国内優先の元で２００２年３月２７日にファイルされた）特許公報ＦＲ０２/０３８４２号で提案した。それは、ＷＯ０２/０１１０２号公報で記述されている環状小片（またはリップ）を設け、傾斜した雄及び雌肩部を有しており、拡張後にもう一方に対してきつく締まる金属対金属管シール継手である。溝の面からなる雌要素の肩部と雄要素の肩部は、拡張の間、溝の底で雄要素を前もって押圧するか、又は結果として押圧することを可能とする。
【発明の開示】
【発明が解決しようとする課題】
【０００９】
この継手は１０％より典型的に高い拡張割合でシール性を供給するよう構成されているが、様々な型の負荷に要求されたシール特性が高い場合、拡張前及び後のシール特性が不十分であると判明するかもしれない。
【００１０】
従って、本発明の目的は、特に、様々な型の負荷に対して、シール安定性の点で、そして、特に、１０％より典型的に高い拡張割合の存在の中で、状態を改善することである。
【課題を解決するための手段】
【００１１】
それによって、本発明は次のようなものからなる拡張可能な管継手を提案する。
【００１２】
＊一方で、雄ネジを形成する第１部分と、第１部分に延びている第２部分とからなり、i）第１外側面、ii）第１軸当接面、第１内側面を持ち、その軸方向長さの部分にわたって第１外側面によって限界を定められた第１環状リップ、そしてiii）第２接合面からなる第１管要素
【００１３】
＊他方で、i）雄ネジに合致し、ネジ止めされる雌ネジ、ii）第３当接面、第１内側面に対向して配列された第２外側面、及び、第２内側面を有する第２環状リップ、iii）第４軸当接面、iv）第４軸当接面と雌ネジの間に延びており、第２外側面と第４当接面で第１リップに合致する環状凹部を規定する第３内側面からなる第２管要素
【００１４】
この継手は、第１に、第１管要素が、第２当接面を拡張している第４内側面の範囲内で選択された局部環状に加えられた厚みからなり、第２に、第２管要素が、その第３内側面の選択された場所で、第１外側面及び環状に加えられた厚みの範囲内に事実上配置された内部環状溝からなり、第３に、第１及び第２管要素が、第１リップが環状凹部に置かれ、第２当接面が第３当接面に対して静止するか、及び/又は、拡張可能な管継手に事実上実行されたプラスティック変形範囲での直径の拡張の間、第１外側面の範囲内で、少なくとも溝形状の部分を持ち、それによってシール干渉接触部になる環状肩部の形成を可能にするように第１当接面が第４当接面に対して静止するような方法で形成されているという事実によって特徴づけられる。
【００１５】
加えられた厚みの存在及び加えられた厚みの範囲内での溝の形成により、ネジ止め後に、第１リップの第１外側面が、拡張の間、溝に効果的に押圧される。このように、肩部は選択された形状を有する。従って、高品質のシールは、さらに高い直径拡張割合（最大約３５％）のために、第１管要素の環状肩部と第２管要素の環状溝の間の集中的な干渉（及びシール）接触部によって生成される。
【００１６】
本発明によると、拡張可能な継手は、個々に又は共同して用いられる（特に、次のような）他の特徴を構成してもよい。
【００１７】
−拡張の間、継手の長手方向軸の方向への第１リップの湾曲により、補助シール干渉接触部は、拡張後、第１内側面と第２外側面の間に規定される。
【００１８】
−第１管要素は、例えば約５°と約３０°の間、好ましくは約１０°と約２０°の間のスロープで事実上連続的に、第２当接面の方向に増加する局部環状の加えられた厚みを有する。
【００１９】
−第１管要素は、その第１部分の範囲内で、雄ネジの反対側のその内部面にわたって、環状セットバックに規定される円錐形の頚部を有し、この頚部は、例えば、当初約２°と２０°の間のスロープで事実上連続して成長する。
【００２０】
−第２部分の加えられた厚みの最大値は、当初、例えば、“ドリフト”として知られている点検ツールの直径の機能として選択された値よりも少ない。
【００２１】
−第２リップの第２内側面は、当初、拡張の間、溝の方向に第１リップの変形を増加するために、第３当接面に隣接している領域に選択された局部環状の加えられた厚みを有する。
【００２２】
−第２リップの加えられた厚みは、当初、第１管要素のそれよりも少ない。
【００２３】
−第２リップの加えられた厚みは、当初、“ドリフト”の直径の機能として選択された値よりも少ない。
【００２４】
−長手方向での第２リップの拡張と、横断方向への凹部の拡張の間の割合は、約１と約３の間で、約１．２と約１．６の間が好ましい。
【００２５】
−溝は、当初、事実上円筒形の中央部分によって分けることが可能である少なくとも二つの曲面の部分からなり、この場合、この部分は、当初、例えば約２ｍｍと約２０ｍｍの間で、事実上同一の曲率半径を有する。溝は、当初半径方向の深さを有しており、その最大値、そして伸長下の継手の効率は、好ましくは溝の底の材料片が、結合されている第１及び第２管要素での管の一般部分の最小片の製品よりも大きいように選択される。用語“管の一般部分” はその二つの端部から遠い中央部分を示し、事実上一定の直径を有している。
【００２６】
−雄及び雌ネジは、好ましくは円錐形と円筒形のネジ山の中から選択されており、各々少なくとも一つの管要素部分にわたって形成されている。
【００２７】
−第１リップは、ネジ止め工程の間、弾性変形範囲で軸方向に圧縮される。
【００２８】
−ネジ止め工程の間、第１当接面は、第２当接面が第３当接面に対して静止する前に、当初、第４当接面に対して静止する。
【００２９】
−第２及び第３当接面は、ネジ工程の（そして好ましくは一度第２当接面が第３当接面の上に静止する）後、そして拡張の前に、シール干渉接触部を第１内側面及び第２外側面の間に与えるように、長手方向に横切った平面に対して事実上同一の傾斜を有するそれぞれ凸面及び凹面の円錐形の表面を有する。この場合、傾斜は、例えば、当初、約＋５°と約＋３０°の間である。
【００３０】
−雄及び雌ネジは、約−３°と約−１５°の間の負の角度を有する伝達面を形成するネジ山からなる。
【００３１】
−雄及び雌ネジは、約＋１０°と約３０°の間の正の角度を有する挿入面を形成するネジ山からなり、この場合、雄及び雌ネジは、ネジ止め後で拡張前に、約０．０５ｍｍと約０．３ｍｍの間の挿入面の間に軸方向の間隙を有する。
【００３２】
−第１管要素は、当初、第１外側面の範囲内でその第１部分の前に、内部の方へ、第１部分の方へ、局部環状セットバックを規定する円錐形の面取り部を有する。この場合、面取り部は、当初約８°と約１２°の間の長手方向に対して事実上連続したスロープになる。
【００３３】
−第１リップの第１内側面は、当初、例えば、約０．１°と約１５°の間の角度で長手方向に対して傾斜している。
【００３４】
−第２管要素は、とても長い管又はその他の事実上対称的な雌/雌型接続スリーブの一部を形成する（第１管要素は、この場合、とても長い管の先端で結びつけられる）。スリーブの場合、前記スリーブは、二つの第２管要素によって両側に拡張し、この領域の範囲でスリーブの当初厚み、そして継手の効率が、第１管要素に結ばれる端部で、管の一般部分の片部の製品より大きい又は同じであるように選択される減少した厚みを有する領域を当初外側面にわたって形成した中央部分からなる。
【００３５】
本発明は、前述タイプの拡張管継手から拡張管継手を生成する方法までも示す。
【００３６】
この方法で、拡張は、第１リップと第２外側面の内部端部分の間に他のシール干渉接触部を規定する。
【００３７】
さらに、第２及び第３当接面の円錐形の表面がそれぞれ凸部及び凹部の場合、ネジ止めは、最初に、第１リップを弾性変形範囲内で軸方向に圧縮させるために、第１当接面を第４当接面に対して押されるようにする。
【００３８】
さらに、ネジ止めは、第１当接面が第４当接面に対して静止するまで実行され、それから第２当接面が第３当接面に対して静止するまで実行される。
【００３９】
このタイプの方法は、限定しない方法だが、少なくとも１０％に等しい拡張割合での継手の半径方向の拡張に特に適している。
【００４０】
その他の発明の特徴及び利点は、次の詳細な記述及び図表を考察することで明白になる。
【００４１】
図１は長手方向の小片部で、本発明による拡張可能なネジ継手の形態の部分を示す図表である。
【００４２】
図２は長手方向の小片部で、ネジ止め及び拡張前の、雌円錐形ネジと、それに合致する雄円錐形ネジの部分を示す図表である。
【００４３】
図３は長手方向の小片部で、図１の拡張可能なネジ継手の第１管の雄端部分を示す図表である。
【００４４】
図４は長手方向の小片部で、図１の拡張可能なネジ継手の第２管の雌端部分を示す図表である。
【００４５】
図５は長手方向の小片部で、最初のネジ止めステップの間に図３及び図４の雄及び雌の管先端に生成された力を示す図表である。
【００４６】
図６は長手方向の小片部で、第２のネジ止めステップの間に図３及び図４の雄及び雌の管端部に生成された力を示す図表である。
【００４７】
図７は長手方向の小片部で、プラスティック変形による拡張段階の間に図３及び図４の雄及び雌の管端部に生成された力を示す図表である。
【００４８】
図８は長手方向の小片部で、拡張ステップ後の図３及び図４の雄及び雌の管端部に起こった変形を示す図表である。
【００４９】
図９は長手方向の小片部で、本発明による対称的に配置された二つの拡張可能なネジ継手の組立部品の形態部分を示す図表である。
【００５０】
図１０は長手方向の小片部で、本発明による拡張可能なネジ継手の第１管の雄端部分の他の形態部分を示す図表である。
【００５１】
図１１は長手方向の小片部で、本発明による拡張可能なネジ継手の第２管の雌端部分の他の形態部分を示す図表である。
【００５２】
図１２は長手方向の小片部で、ネジ止め段階の後、図１０及び図１１の雄及び雌管端部分の位置関係を示す図表である。
【００５３】
添付されている図表は、発明を補うだけでなく、その定義に貢献するのに役立つかもしれない。
【００５４】
発明はシールドネジ管継手に関係しており、特に炭化水素さく井、その他のさく井（例えば地熱さく井）、及び関連した生産方法に使用される。
【００５５】
序説で記載されているように、本発明によるネジ管継手により、ケースや一連の管は、とても長い金属管を一緒に接続、又は他のとても長い管及びスリーブを一緒に接続することによって、形成される。
【発明を実施するための最良の形態】
【００５６】
本発明による継手の第１形態を説明するために、まず図１から図８を参照する。この例は、特に図１に部分的に記載されているように、継手は２つの管Ｔ１及びＴ２を接続させる。２つの管は、回転によって生成されるＸＸ軸を持ち、とても長い、すなわち数メートルの長さがあり、さらに特定すると、第１管Ｔ１の雄型端部ＥＭ（又は雄管要素）及び第２管Ｔ２の雌型端部ＥＦ（又は雌管要素）がある。図の形態で示されているように、管Ｔ１及びＴ２は、例えば、共通の部分を持ち、約１９３．６８ｍｍ（又は７  ５/８インチ）に等しい初期外部直径を有している。管の共通部分は二つの端部から離れた中間部分で、事実上一定の直径を有している。
【００５７】
図１に示されているように、管Ｔ１の雄端部ＥＭは二つの部分Ｐ１及びＰ２から成る。第１部分Ｐ１は管Ｔ１の中間部分に伸び、外部雄ネジＦＭで生成されている。円錐形の型が好ましいが、円筒形の型でもよい。
【００５８】
例えば、図２に示されているように、円錐形のネジはその円錐度△Ｄ/Ｄが１０％に供給される。ここで、Ｄは直径である。さらに、以下に示すように、ネジ間の軸（又は長手方向）の遊びは最初十分に大きく、直径の拡張の間、特別に自由に変形することができる。例えば、雄ネジＦＭと雌ネジＦＦの挿入面ＦＳ間の軸の遊びは、約０．０５ｍｍ〜約０．３ｍｍである。
【００５９】
さらに、よい張力、特に圧縮力でない、抵抗を得るために、そしてそれによって、拡張前、拡張間及び拡張後に、雄及び雌ネジの離脱や飛び出しの危険を事前に減少するために、両ネジのキャリア面（荷重面）は、例えば、約−３°〜約−１５°、さらに好ましいのは約−１０°と同等の負の角度α１で半径方向と比較して傾斜する。しかるに、ネジの挿入面ＦＳは、例えば、約＋１０°〜約＋３０°、さらに好ましいのは約＋１５°と同等の正の角度α２で半径方向と比較して傾斜する。
【００６０】
負の角度α１は、特に緊張状態で、噛み合わさったネジの離脱や飛び出しを防ぐ。さらに正の角度α２は大きくなれば、よりネジのかみ合わせを簡単にし、またより圧縮抵抗を弱める。
【００６１】
雄ネジＦＭ及び雌ネジＦＦが管要素ＥＭ、ＥＦの少なくとも１部分でお互い形成されていることに注目することは重要である。言い換えれば、それらは一つ又はそれ以上の部分の形になっている。もしそれらが二つの部分から成る場合、前述の部分は二つの半径方向に分かれた表面又は一つの表面のどちらか一方に形成される。
【００６２】
第２部分Ｐ２は管Ｔ１の端部で第１部分Ｐ１から延びている。図３で示すように、まず、当初事実上の平面であり、管Ｔ１の長手方向Ａ（ＸＸに平行）に垂直である第１軸当接面ＳＢ１と、当初第１部分Ｐ１の方向へ第１軸当接面ＳＢ１に対し事実上垂直な様に延びており、管Ｔ１の内側の方へ（すなわち雄ネジＦＭの反対側へ）適応されている第１内側面ＳＩ１と、そして、第１部分Ｐ１の方へ第１軸当接面ＳＢ１を拡張しており、管Ｔ１の外側の方へ適応されている第１外側面ＳＥ１の１部分を構成している第１環状リップ（又は環状小片）Ｌ１からなる。雄要素ＥＭの第２部分Ｐ２の第１外側面ＳＥ１は雄ネジＦＭの範囲まで第１当接面ＳＢ１から拡張している。第２部分Ｐ２は、第１内側面ＳＩ１に拡張し、管Ｔ１内を循環している流体（又はガス）と接触するように少なくとも（４番目の）部分的に円筒形の内側面ＳＩ４によって拡張されている第２当接面ＳＢ２からもなる。第１軸当接面ＳＢ１、第１内側面ＳＩ１及び第２当接面ＳＢ２は、当業者が“雄リベート”と呼んでいるものに規定する。
【００６３】
図３で示されているように、理由については以下に述べられるが、第１内側面ＳＩ１は管１の長手方向Ａと比較して、選択された角度α３によって傾けられている。そのため、当初円錐形の表面を形成している。傾斜の角度は約０．１°と約１５°の間が好ましく、さらに好ましいのは約２．５°と同等の角度である。さらに、示されているように、第１外側面ＳＥ１は、以下に示されるように、溝Ｇ１に押されるために、例えば約２０ｍｍと約１００ｍｍの間の大きな半径を有する少し丸く特質な円環状になっている。
【００６４】
図４に示されているように、管Ｔ２の雌端部ＥＦも又、二つの部分Ｐ３とＰ４を構成する。第１部分Ｐ３は管Ｔ２の端部に最も離れて配列され、雄ネジＦＭと合致する内側雌ネジＦＦを有する。
【００６５】
第２部分Ｐ４は管Ｔ２の中間部分の方へ第１部分Ｐ３を拡張する。それは、まず、第３当接面ＳＢ３と、管Ｔ２の外部の方へ向けられ、第１部分Ｐ３の反対方向に第３当接面ＳＢ３を拡張し、第１内側面ＳＩ１に対向して配列されている第２外側面ＳＥ２と、管Ｔ２の内部の方へ向けられ、第１部分Ｐ３の反対方向へ第３当接面ＳＢ３を拡張しており、少なくとも部分的に円筒形の第２内側面ＳＩ２とからなる第２環状リップ（又は環状フィンガー）Ｌ２から構成される。
【００６６】
それは、当初事実上平面で管Ｔ２の長手方向Ａに垂直な第４軸当接面ＳＢ４と、管Ｔ２の内部の方へ向けられ、第４軸当接面ＳＢ４を第１部分Ｐ３の方へ拡張している部分的に円筒形の第３内側面ＳＩ３とからも構成される。以下に参照されるように、第３内側面ＳＩ３の一部は、第２外側面ＳＥ２と第４当接面ＳＢ４とともに、管Ｔ１及びＴ２をネジ止めしている間、それを受けられるように第１リップＬ１と合致している環状凹部（又は溝）ＬＯを規定する。
【００６７】
凹部ＬＯは、第２リップＬ２の長さに等しい、選択された軸の長さＰＲにわたって延び、そして、選択された半径方向の深さＨ（長手方向Ａに垂直）で延びる。ＰＲ/Ｈの比率は約１と約３との間が好ましく、さらに好ましいのは約１．２と約１．６の間である。約１．５と同等がさらに好ましい。例えば、ＰＲが４ｍｍでＨが２．７ｍｍの場合、ＰＲ/Ｈ比率は１．５と同等である。以下に示されるように、これらＰＲとＨの二つの寸法は第１リップＬ１とその底部領域での選択された変形を可能にするように選択される。
【００６８】
第３当接面ＳＢ３、第２外部面ＳＥ２及び第４軸当接面ＳＢ４は当業者が“雌リベート”と呼んでいるものに規定する。
【００６９】
環状溝Ｇ１は少なくとも第３内側面ＳＩ３の部分に規定される。好ましくは、最初に二つの曲線部分ＰＣ１及びＰＣ２によって各々の側に拡張された事実上円筒形の中間部分ＰＣを構成している。好ましくは、これらの曲線部分Ｃ１及びＣ２は、当初約２ｍｍと約２０ｍｍの間で事実上湾曲の一致した半径を有する。
【００７０】
例えば、溝Ｇ１は、約２ｍｍに等しい軸の長さＰＲ’、約１ｍｍに等しい半径方向の深さＨ’、そして約５ｍｍに等しい曲率半径を有している曲線部分Ｃ１及びＣ２にわたって延びている中間部分ＰＣからなる。溝Ｇ１の半径方向の深さＨは、前記溝の対称平面ＰＳＧの領域で、通常管Ｔ２の厚みによって制限されており、その厚みはネジ継手の臨界断面積を計算するために使用される最小限の厚みよりも少なくてはならない。より特定すると、溝Ｇ１の底の材料の断面積は管Ｔ１又はＴ２の一般部分（又はもしそれらが異なる場合、これら二つの部分のより小さい方）の製品の断面積よりも大きく、伸長下での継手の効率より大きいように、半径方向の深さＨ’の最大値は選択されている。ネジ要素の臨界断面積と管（Ｔ１、Ｔ２）の断面積の間の比率は、接続（又は継手）の効率を特徴づけ、そしてそれは管の断面積と共に、一連の管をデザインするための入力データの項目になる。
【００７１】
この構成では、溝Ｇ１の対称平面ＰＳＧは、凹部（又は溝）ＬＯの底を規定している第４軸当接面ＳＢ４から選択された軸距離Ｄで配列されている。例えば、前述した値で、距離Ｄは約５．６１ｍｍに等しい。さらに、ネジ止め後、溝Ｇ１の中間部分ＰＣは、加えられた厚みＳＡ１に対向して事実上配置される。
【００７２】
以下に示されるように、曲率半径（特にネジ側面上の）、半径方向の深さＨ‘、軸方向の長さＰＲ及び半径方向の深さＨは、その底部で第１リップＬ１及び第２部分Ｐ２の領域の選択されたように変形するように選択される。
【００７３】
第２部分Ｐ４は、第１部分Ｐ３の反対方向（すなわち、管Ｔ２の中間部分の方向）に第２当接面ＳＢ２を拡張し、管Ｔ２内で循環している流体（又はガス）と接触された他の（第５の）円筒形内側面ＳＩ５からなる。
【００７４】
本発明によると、第４内側面ＳＩ４は、第２当接面ＳＢ２の近くに、管Ｔ１の内部の方向に局所環状に加えられた厚みＳＡ１を構成する。
【００７５】
好ましくは、図３及び図５乃至図７に示されているように、この加えられた厚みＳＡ１は、溝Ｇ１の中央部分ＰＣ１の拡張領域に事実上一定であり、それから減少する。この減少は、第１部分Ｐ１の方向に事実上連続していることが好ましい。それは、例えば、約５°と約３０°の間、より好ましいのは約１０°と約２０°の間、さらに好ましいのは約１２°、の長手方向Ａに対した角度α９で生じる。
【００７６】
一定の厚みの領域の範囲内での最大に加えられた厚みは、雄要素ＥＭの最小内部直径を規定する。この内部直径は、“ドリフト”の直径よりも大きくなければならない。ドリフトは、最小自由内部直径により、ツールが捕らえられる危険なく列内で通過することを保証するために、井戸に下げられる前に、管内側に案内されたツールである。もしそれが前述した値以下しか残っていないなら、加えられた厚みの最適な値は、必要とされる変形を受けるように、拡張の間、溝Ｇ１の底で第１リップＬ１を最大に増やすために必要な物質の量によって固定される。この加えられた厚みは、例えば、約０．８ｍｍである。
【００７７】
この加えられた厚みＳＡ１は、後述で参照される直径拡張段階の間、管Ｔ１が管Ｔ２に対して軸方向に固定されないだけでなく、“メタル−オン−メタル”型干渉接触部によってシールの領域が形成される環状肩又はかかと部ＥＰを生成するために、過剰な材料により、溝Ｇ１の空いているスペースは埋められ、第１リップＬ１及びその付近は、変形を受けることを提供する。
【００７８】
本発明によれば、拡張管継手は次のステップからなる方法を実行することによって形成される。
【００７９】
図５で示すように、第１ステップでは、管の１つ（例えばＴ１）の端部（例えば雄端部ＥＭ）が、他の管（例えばＴ２）の端部（例えば雌端部ＥＦ）に、第１リップＬ１の第１軸当接面ＳＢ１が凹部（又は溝）ＬＯの第４軸当接面ＳＢ４の上に静止するまで、ネジ止めされる。
【００８０】
このネジ止めを容易にするために、図４に示されているように、第２リップＬ２の第２外側面ＳＥ２は、第３当接面ＳＢ３への接続領域で、長手方向Ａと比較して短い距離にわたって選択された角度α５だけ傾斜している。このように、当初、円錐形の表面面取り部を形成する。この傾斜は、当初、約＋８°と約１２°の間の角度が好ましい。さらに好ましいのは、約１０°と同等である。この型の傾斜は、第１リップＬ１を凹部（又は溝）ＬＯに挿入することを容易にする。特に偶然の干渉の場合に、このように、第１リップＬ１に対するかじり又は損傷、そして特に第１内側面ＳＩ１の端部隆起の危険の可能性を減少することができる。このような干渉は、第２当接面ＳＢ２が第３当接面ＳＢ３の上に静止する前に、第１内側面ＳＩ１と第２外側面ＳＥ２の間に生じる。
【００８１】
そして、第２ステップでは、ネジ止め工程を第２当接面ＳＢ２が、第３当接面ＳＥ３の上に静止するまで続ける。ネジ止め工程の連続は、一度第１当接面ＳＢ１が第４当接面ＳＢ４に当接され、前記第１リップＬ１に軸圧縮を受けさせることによって、第１リップＬ１に潜在的な弾力エネルギーの貯蔵を開始させる。
【００８２】
図６に示されているように、第３ステップでは、ネジ止めの工程が継手の軸方向で第１リップＬ１を半径方向に前もって押圧するためにさらに続けられる。この半径方向に前もって押圧することは、長手方向Ａに垂直な平面に対して選択された角度で第２当接面ＳＢ２及び第３当接面ＳＢ３の事実上同一の傾斜により推進される。
【００８３】
好ましくは、図３及び図４で示されているように、第２当接面ＳＢ２及び第３当接面ＳＢ３は、当初、それぞれ凸部及び凹部円錐面で事実上等しい傾斜を有する。“事実上同一の傾斜”という語は、現在の文脈で、互いに等しい傾斜で、約±５°以内のことを示す。この一般的な傾斜は約＋５°の角度α４と約＋３０°の角度α４の間が好ましい。さらに約１０°とほぼ同等がより好ましい。この傾斜により、第１内側面ＳＩ１と第２外側面ＳＥ２との間の干渉接続部は拡張段階より前になる。この干渉は、拡張段階より前に、特に、ガスのシールを形成することができる。
【００８４】
このように、張力又は軸方向の圧縮力の存在を含む内部圧力のもとでのガスのすばらしい密閉と、例えば、軸方向の圧縮力の存在での外部圧力のもとでのよいシールは、拡張の前に手に入れられる。
【００８５】
図６で、前もって生成した応力は、矢印Ｆ１及びＦ２によって示される。
【００８６】
第４ステップでは、最大直径が管Ｔ１とＴ２の初期内部直径ＤＩ（図１で示されている内部半径ＲＩの二倍と同等）よりも大きく、そしてその最終内部直径に事実上同等となるように、例えば円錐形の頭部をもつボールのような直径拡張ツールが、管Ｔ１とＴ２の一つに軸の方向に導入される。導入の方向の選択は実際上の重要性はない。ボールはそれゆえに雄端部ＥＭから、雌端部ＥＦ、又はvice versa、の方へ軸方向に移動される。
【００８７】
ボールは当業者に知られている方法（特にＵＳ６，６０４，７６３公報及びＷＯ０３/０７１０８６公報参照）、例えばドリル棒で引くことによって又は他の液圧を及ぼすことによって移動される。ボールは、円筒形/円錐形の形を持ち、例えば、拡張を実行する責任のある円錐形の入口部を持ち、中央の円筒形の部分によって拡張される。しかしながら、それは球形もしくは双円錐形（円筒形部分によって拡張された円錐入口部、円錐形の出口部分によって拡張されたそれ自身）でもよい。ボールのこれらの３部分の連結している半径は必要に応じて選択される。
【００８８】
例えば、機械の拡張を生成する三つのローラーのあるロータリー拡張ツールのようなその他の拡張ツールがボールの代わりに使用される可能性がある。これらの拡張ツール（ボールを含む）及びその形態は特にＷＯ０２/０８１８６３号公報、ＵＳ６，４５７，５３２号公報及びＵＳ２００２/０１３９５４０号公報に記載されている。
【００８９】
直径の拡張はプラスティック変形範囲で生じる。生成されたプラスティック変形が管要素の降伏点を増加するとき、このような変形に耐えることのできる金属が使用されなければならない。例えば最初に降伏点３１０ＭＰＡ（４５ＫＳＩ）を有している管に対して、拡張後にこの点は３８０ＭＰａ（５５ＫＳＩ）に増加する。
【００９０】
ボールが雄端部ＥＭの第２部分Ｐ２の第４内側面ＳＩ４及び雌端部ＥＦの第２部分Ｐ４の第５内側面ＳＩ５の範囲に到達した時、拡張された材料は第１リップＬ１に溝Ｇ１で変形に耐えさせる。拡張の間、継手によって耐えた変形は、図７の矢印Ｆ３からＦ６で示されている。
【００９１】
さらに特定すると、それがさらされる様々な圧力に起因して、特に、その加えられた厚みＳＡ１に起因して、第１リップＬ１は曲がるように力を加えられ（矢印Ｆ４）、少なくとも一部、溝Ｇ１の形を受け入れさせられる。このように、“金属対金属”型干渉接触部によるシール領域を形成する環状肩部又はかかと部ＥＰは、図８で示されるように、第１リップＬ１のちょうど前の、雄端部ＥＭの第１外側面ＳＥ１の領域で形成される。
【００９２】
図８で示すように、そして上記に示しているように、変形は、第１リップの前の雄端部ＥＭの第１外側面ＳＥ１の範囲内で、環状肩部又はかかと部ＥＰを生成する。また変形は以下に示す方法で干渉接触部によってシールされたゾーンの創造を可能にする。
【００９３】
雌要素ＥＦの直径が雄要素ＥＭの直径よりも大きいという事実のために、ボールによって生成された拡張は、雌要素ＥＦより雄要素ＥＭの拡張を更に大きい割合でもたらす。
【００９４】
雌要素ＥＦよりも大きい雄要素ＥＭの収縮は、材料の状態に起因して、図７の矢印Ｆ５とＦ６で示されている解除の方向にこれら二つの要素の相対的な軸方向の移動をもたらす。この移動は、傾斜した肩部ＥＰがもう一方に対して強く締められる原因となり、要求したシールを形成する。拡張した継手が軸伸長圧力を受けさせられる時、接触又は干渉圧力がさらに強化されることが示されるだろう。
【００９５】
拡張の間、軸方向移動に起因して、第１リップＬ１及び第２リップＬ２の軸方向長さは正確な方法で選択されなければならない。もし第１リップＬ１があまりにも短い場合、その凹部ＬＯを離れて、それによって継手の軸方向に落ちるという危険がある。従って、拡張の後にシールを除去している。もし第２リップＬ２が長すぎる場合、凹部ＬＯは形成するのが難しい。
【００９６】
拡張の間の第１リップＬ１の曲率は、溝Ｇ１及び加えられた厚みＳＡ１の形によって促進され、第１リップＬ１の端部の内部と第２外側面ＳＥ２の間に第２干渉接触をもたらす。
【００９７】
第１リップＬ１はそれから強化され、溝Ｇ１の壁に形成された肩部と第２外側面ＳＥ２の間に押し込まれる。このタイプの二重の接触は素晴らしいシールを提供し、様々な可能な型の加重に対して安定し、軸方向伸長又は圧縮圧力と共に結合し、又は、結合しないで、内部及び外部圧の両方を構成する。
【００９８】
第１リップの曲率をさらに促進するため、そして、肩またはかかと部ＥＰと溝Ｇ１の間の接触をさらに補強するために、図３及び図５から図７で示されるように、第１外側面ＳＥ１と第１部分Ｐ１の前の範囲内で、管Ｔ１の内部に向かってのセットバックＤＣ１が生成される。このセットバックＤＣ１は事実上連続することが好ましい。このように、まず円錐形の面取り部を形成する。それは、例えば、角度α６で長手方向Ａと比較して約８°と約１２°の間である。さらに約１０°と同等が好ましい。例えば、このセットバックＤＣ１は第１軸当接面ＳＢ１（長手方向Ａで）から約７．８ｍｍ離れて始まる。
【００９９】
さらに、必要とされる材料を供給するために、管Ｔ１は、その第１部分Ｐ１及び第２部分Ｐ２の範囲内で、雄要素ＥＭを形成するより優先して、頂上の半分の角度α７を有する円錐形の頸部を経る。その円錐の直径は雄要素ＥＭの自由端部の方へ徐々に減少する。
【０１００】
この頸部は、第２部分Ｐ２及び加えられた厚みＳＡ１が配置される範囲内で材料の厚みが増加されることを可能にする。雄要素ＥＭと、特に、加えられた厚みＳＡ１、を形成した後、頸部の軌道は、管の内部の方へ、雄部ＥＭの自由端の方へ、局部環状セットバックＤＣ２を形成する。
【０１０１】
管Ｔ１におけるボールの進行を妨げないために、頸部は好ましくは事実上連続的であり、角度α７は約２°と約２０°の間が好ましく、さらに好ましいのは約５°である。
【０１０２】
第１リップＬ１の第１内側面ＳＩ１に傾斜がある場合（例えば、約２．５°）、第２リップＬ２が管Ｔ２の外側に非常に接近して配置されることを可能にする。従って、ボールが第２リップＬ２の範囲に到達する時、前記第２リップは管Ｔ２の外側に接近することができる。これは又“バナナ”効果として知られている限界を与え、第２リップＬ２が管Ｔ２のくぼみの内部の方へ落ちる原因となりがちである。
【０１０３】
この接近は、第２リップＬ２の第２内部面ＳＩ２の範囲内と第３当接面ＳＢ３の近辺で、管Ｔ２の内部方向にある局部的に環状に加えられた厚みＳＡ２の存在によって強調されるかもしれない。好ましくは、図４乃至図７に示されているように、この加えられた厚みＳＡ２は、第２リップＬ２の拡張ゾーンで事実上一定であり、それから減少される。この減少は事実上連続することが好ましい。このように、それは、当初円錐形の面取り部を形成する。それは、例えば、長手方向Ａに対して、約８°と約１２°の間の角度α８であり、さらに好ましいのは約１０°である。
【０１０４】
この加えられた厚みＳＡ２は、好ましくは加えられた厚みＳＡ１に依存し、さらに好ましくは、前記加えられた厚みＳＡ１より少ない。それは、どんな場合でも、ドリフトの直径によって規定された最大値よりも少ない。例えば、この加えられた厚みＳＡ２は約０．２ｍｍと１ｍｍの間であり、約０．５ｍｍが好ましい。初期のオフセットは、加えられた厚みＳＡ１とＳＡ２の違いによって生じ、特に第１リップＬ１の最後の変形を促進する。しかしながら、このオフセットは、あまり大きくないかもしれない。なぜなら（傾斜が存在する場合）
第１リップＬ１の第１内部面ＳＩ１の傾斜によって生じる前記効果を解消するかもしれないからである。
【０１０５】
上記に記載したように、ボールの通過によって生成された拡張の結果は図８に示されている。拡張が軸の離脱を原因とするという事実に起因して、スリーブ管継手（完全な継手ではない）で、第１リップＬ１及び第２リップＬ２の変形はスリーブの２つの反対の端部で完全に同一でなくてもよいということを心に留めておくことは重要である。しかしながら、この違い（又は不均等）は、ＦＲ０２/０３８４２号公報に記載されているスリーブ管継手で起こるよりも少ない。
【０１０６】
ボールの通過後にネジ継手の要素のはね返り移動は、問題となるプラスティック変形と比較してごくわずかであることに気づくことも重要である。
【０１０７】
本発明による、対称的に配置された、２つの継手の組立の形態を説明するために、図９を参照する。この例では、２つの継手により、２つのとても長い管Ｔ１及びＴ２が接続スリーブ型管要素Ｍによって接続される。このスリーブＭは、この場合、管１及び管２の長手方向Ａに垂直に交わる対称平面ＰＳＭに対して対称的な形状である。これはまた雌/雌タイプでもある。
【０１０８】
このタイプのスリーブＭは、上で示した管Ｔ２の雌端部ＥＦの第１（Ｐ３）と第２（Ｐ４）部分と同じタイプの２つの第１部分Ｐ３’及び２つの第２部分Ｐ４’によって各サイドに拡張された中央部分ＰＣＭを構成している。それによって、管Ｔ２の雌端部の第１（Ｐ３）及び第２（Ｐ４）部分に関して前文に述べられた全ては、スリーブＭの第１部分Ｐ３’及び第２部分Ｐ４’としても適用される。
【０１０９】
図に示されているように、スリーブＭの中央部分ＰＣＭは、好ましくは、対称平面ＰＳＭの中央の減少した厚みを局部的に規定している（“三日月形”とも述べられている）環状溝Ｇ２を構成している。
【０１１０】
この三日月形Ｇ２により、スリーブＭの厚みがその最大厚み部分で減少され、それによって、拡張圧力及び力が減少される。また、拡張後（回転によって生成された外側面で）事実上直線の外観で同時に継手を供給している間、変形により、様々な当接面（ＳＢ１からＳＢ４）及び支持面の範囲で上手くコントロールされる。それによって、対称平面ＰＳＭの範囲内でのスリーブＭの厚みは、第１管要素が形成された端部で、そして継手の効率で、管Ｔ１及び管Ｔ２の一般部分の部分品の製品より大きいもしくは同等として選択されなければならない。
【０１１１】
三日月形は２つの向かい合った第２リップＬ２の２つの第３軸当接面ＳＢ３の間に事実上拡張しているのが好ましい。しかしながら、それは、特に、２つの雌ネジの最後のネジ山の間で、より遠い距離にわたって拡張するかもしれない。最後のネジ山は、この場合、第３当接面ＳＢ３の側である。
【０１１２】
この三日月形Ｇ２も、（対称平面ＰＳＭの範囲内で）最大減少厚み及び好ましくは約３０°よりも少ない角度、より好ましくは約１５°で傾く側面の壁を有する中央部分で生じるへこみの形状である。
【０１１３】
三日月形（従って溝Ｇ２）は平面ＰＳＧに対して対称である必要はないと気付くことが重要である。それは、平面ＰＳＧのどちらかの側面に２つの不均等部分を有しているかもしれない。
【０１１４】
次に、図１０乃至図１２を参照して、本発明による拡張可能な管継手の他の形態を説明する
【０１１５】
この形態は図１乃至図８を参照して上記に記載されたものに対して多数の類似点を有している。従って、一般的な部分は同一の参照番号によって示される。さらに、形状が事実上同一の部材及び事実上同一の機能の動作については再び記述しない。
【０１１６】
さらに、この形態は、前の形態のように、回転によって生成される軸ＸＸを有するとても長い第１管Ｔ１の雄型端部ＥＭ（又は雄管要素）と、とても長く、回転によって生成される軸ＸＸを有する第２管Ｔ２の雌型端部ＥＦ（又は雌管要素）との接続だけを可能にするのではなく、図９を参照して上述した２つの対称的に配列した継手の結合と、接続スリーブ型管要素Ｍによる２つのとても長い管Ｔ１とＴ２の接続も可能にする継手に関する。
【０１１７】
この形態と前述のものとの間の主な違いは、第２当接面ＳＢ２及び第３当接面ＳＢ３の詳細であり、そして、あるいは第１外側面ＳＥ１と第１管要素ＥＭと第２管要素ＥＦの第３内側面ＳＩ３の詳細である。これにより、第１及び第３シール（又は干渉接触面）が拡張前に形成される。
【０１１８】
第２当接面ＳＢ２及び第３当接面ＳＢ３は、長手方向Ａに垂直な面に対して傾斜α４の事実上同一の選択された角度を有している円錐形の面を最初から有する。しかしながら、この第２形態では、第２当接面ＳＢ２と第３当接面ＳＢ３の円錐形面は、それぞれ凹面および凸面である。
【０１１９】
角度α４の傾斜は第２当接面ＳＢ２が第３当接面ＳＢ３に対して静止するように選択されており、第３内側面ＳＩ３に対して、（第１リップＬ１の）第１外側面ＳＥ１の第１半径方向シール干渉接触部を生成している。
【０１２０】
好ましくは、図１０乃至図１２に示されているように、第２当接面ＳＢ２及び第３当接面ＳＢ３は、事実上同一の初期傾斜を有している。この一般的な傾斜は、約＋５°の角度α４と約３０°の角度α４の間が好ましい。さらに好ましいのは、約１０°である。
【０１２１】
ネジ止め段階の間、第２当接面ＳＢ２が第３当接面ＳＢ３に対して静止している時、第１リップＬ１は、接続部の外側の方へ押圧される。これにより、第１リップＬ１は半径方向に前もって押圧され、それによって、凹部ＬＯの範囲内での第２管要素ＥＦの接触は補強される。
【０１２２】
さらに、第２管要素ＥＦの第３内側面ＳＩ３が、第４当接面ＳＢ４へのその接続と溝Ｇ１の第２曲線部分Ｃ２の間に配置される一部分ＤＣ３を構成することは有利である。一般に長手方向Ａに横切っている面に対して選択された角度α１０の傾斜を有する第１シール面を当初規定する。
【０１２３】
この第１シール面ＤＣ３は、あるいは第３内側面ＳＩ３の内部の方へ第３局部環状をセットバックすることによって規定されてもよい。それは円錐形の表面又は円形の表面の形になってもよく、あるいは円環状タイプの部分を有してもよい。
【０１２４】
第１シール面（あるいは第３局部環状セットバック）ＤＣ３の傾斜角度α１０は、当初約＋１°と約＋３０°の間が好ましく、さらに約１０°が好ましい。
【０１２５】
さらに、第１管要素ＥＭの第１外側面ＳＥ１は、第１当接面ＳＢ１への接続の範囲内に（それゆえに第１リップＬ１の範囲内に）位置している末端のゾーンを構成しており、一般に長手方向Ａに横切っている面に対して選択された角度α１１の傾斜を有する第２シール面を当初規定する。
【０１２６】
この第２シール面は、あるいは第１外側面ＳＥ１の内部の方へ第４局部環状をセットバックすることによって規定されてもよい。それは円錐形の表面又は円形の表面の形になってもよく、あるいは円環状タイプの部分を有してもよい。
【０１２７】
この第２シール面ＤＣ４は、ネジ止め段階の間、第２管要素ＥＦの第１シール面ＤＣ３に対して、半径方向に締められるようにする。
【０１２８】
第２シール面（あるいは第４局部環状セットバック）ＤＣ４の傾斜角度α１１は、当初約＋１°と約＋３０°の間が好ましく、さらに約１０°が好ましい。
【０１２９】
傾斜α１０及びα１１の角度は同一であることが好ましい。しかしながら、これは義務的なものではない。例えば、第１シール面ＤＣ３及び第２シール面ＤＣ４の一つは、円錐形または円形で、ゼロ以外の傾斜を有しており、ところがその他のシール面は、例えば、円筒形で傾斜はゼロであることはありうることである。
【０１３０】
あるいは第３及び第４局部環状セットバックによって定義された、第１シール面ＤＣ３及び第２シール面ＤＣ４は、ネジ止め段階の間、その他に逆らって半径方向に締められるように各々が配置され、第３シール干渉面を生成する。
【０１３１】
さらに、第１シール面ＤＣ３及び第２シール面ＤＣ４は、第１シール干渉接触部が第３シール干渉接触部の後ろに生成されるような方法で配置される。これにより、第１シール干渉接続部が補強される。
【０１３２】
言い換えれば、ネジ止め段階の間、第１シール面ＤＣ３を通って、第２シール面ＤＣ４と共に、第１リップＬ１が接触部に最初に入り、それから、第２当接面ＳＢ２が第３当接面ＳＢ３の上で静止することが好ましい。
【０１３３】
この形態で、環状溝Ｇ１の中央部分ＰＣは、例えば、軸の長さＰＲ‘が約２．２ｍｍ、半径方向の深さＨ’が約１ｍｍを超えて拡張し、曲線部分Ｃ１及びＣ２は、例えば、曲率半径が約５．３ｍｍを有する。さらに、凹部（又は溝）ＬＯの底を規定している、第４軸当接面ＳＢ４から溝Ｇ１の対称平面ＰＳＧを引き離している軸の距離Ｄは、例えば、約５．７ｍｍである。
【０１３４】
凹部ＬＯは選択された軸の長さＰＲを超えて拡張し、第２リップＬ２のそれと、選択された半径方向の深さＨ（長手方向Ａに垂直）で同等である。ＰＲ/Ｈの割合はまだ約１と約３の間が好ましいが、この場合では約１．４〜約１．９の間がさらに好ましい。そしてさらに好ましいのは約１．７である。例えばＰＲが４．２ｍｍでＨが２．４ｍｍで、ＰＲ/Ｈの割合は約１．７になる。
【０１３５】
さらに、前述の形態のように、第２リップＬ２の第２外側面ＳＥ２は、第３当接面ＳＢ３への接続範囲内で、長手方向Ａに対して短い距離の上に選択された角度α５の傾斜を有している。このように、それは当初円錐形の面取り部を形成する。その面取り部の傾斜は、当初約＋８°と約＋１２°の角度の間で、さらに好ましいのは約１０°である。上に示されたように、これにより、第１リップＬ１は、特に偶然の干渉の場合に、凹部（又は溝）ＬＯに入り込む。
【０１３６】
さらに、前述の形態のように、第１リップＬ１の第１内部面ＳＩ１は、管Ｔ１の長手方向Ａに対して選択された角度α３で傾いていることが好ましい。このように、それは当初円錐形の面を形成する。傾斜の角度は約０．１°と約１５°の間が好ましく、さらに好ましいのは約２．５°である。上に記載されているように、この傾斜により、第２リップは、ボールの通過している間、管Ｔ２の外部に近づき、それでバナナ効果を制限する。
【０１３７】
さらに加えて、前述の形態のように、第１リップＬ１の湾曲を促進し、肩部又はかかと部ＥＰと溝Ｇ１の間の接触を補強するために、第１外側面ＳＥ１は、第１部分Ｐ１のちょうど前に、管Ｔ１の内部の方へ好ましくは事実上連続した第１セットバックＤＣ１を構成する。この第１セットバックＤＣ１は当初円錐形の面取り部を形成し、約８°と約１２°の間、更に好ましいのは約１０°の長手方向Ａに対する角度α６を有している。例えば、このセットバックＤＣ１は約８．１ｍｍ（長手方向Ａで）第１軸当接面ＳＢ１から離れた所で始まる。
【０１３８】
又前述の形態のように、第４内側面ＳＩ４は、管Ｔ１の内部の方向で、第２当接面ＳＢ２の付近に、局部環状の加えられた厚みＳＡ１を構成する。好ましくは、図１０及び図１２に示されているように、この加えられた厚みＳＡ１は、溝Ｇ１の中央部分ＰＣの拡張ゾーンで事実上一定であり、それから、好ましくは事実上連続して、第１部分Ｐ１の方向へ減少する。これは、例えば、約５°と約３０°の間、さらに好ましいのは約１０°と約２０°の間、そしてさらに好ましいのは１２°の長手方向Ａに対する角度α９である。
【０１３９】
同様に、第２リップＬ２の第５内側面ＳＩ５は、前述の形態のように、第３当接面の付近で、管Ｔ２の内部の方向に局部環状の加えられた厚みＳＡ２を構成する。好ましくは、図１１及び図１２に示されているように、この加えられた厚みＳＡ２は、第２リップＬ２の拡張ゾーンで事実上一定であり、それから好ましくは事実上連続して減少する。このように当初円錐形の面取り部を形成する。それは、例えば、約８°と約１２°の間、さらに好ましいのは約１０°の長手方向Ａに対する角度α８である。この加えられた厚みＳＡ２は、好ましくは加えられた厚みＳＡ１に依存し、前述の加えられた厚みＳＡ１より少ないのが好ましい。例えば、この加えられた厚みＳＡ２は約０．３ｍｍと約０．８ｍｍの間で、さらに好ましいのは約０．５ｍｍである。
【０１４０】
図１０乃至図１２を参照して上述したタイプの拡張可能な継手から拡張継手の形成は、図５〜８を参照して記載されたそれと事実上同一である。
【０１４１】
第１ステップでは、一方の管、例えばＴ１、の端部、例えば雄端部ＥＭは、例えば、他方の管、例えばＴ２、の端部、例えば雌端部ＥＦに、第２シール面ＤＣ４が第１シール面ＤＣ３との接触に入るまで、ネジ止めされ、第３シール干渉接触部を生成する。
【０１４２】
第２ステップでは、ネジ止め過程は第１リップＬ１の第２当接面ＳＢ２が第２リップＬ２の第３当接面ＳＢ３の上に静止するまで続けられ、第３内側面ＳＩ３に対して第１外側面ＳＥ１の第１半径方向シール干渉接触部を生成する。
【０１４３】
第３ステップでは、第２当接面ＳＢ２と第３当接面ＳＢ３の傾斜（又はスロープ）に起因し、そして、凹部ＬＯと第１リップＬ１の第１シール面ＤＣ３と第２シール面ＤＣ４の傾斜（又はスロープ）に起因して、指定されたトルクレベルまで、ネジ止め過程は第１リップＬ１を半径方向に前もって押圧するためにさらに続けられる。
【０１４４】
このように、リップＬ１及び凹部ＬＯの内側及び外側面の間の接触は、前述の例よりも大きい程度に補強され、直径の拡張ステップの前の継手のシールをさらに強いものにすることが可能である。
【０１４５】
例えば、軸の張力又は圧縮力の存在で、内部圧の下での流体への優れた密閉は、そのため拡張の前に得られる。
【０１４６】
管Ｔ１及びＴ２のひとつに、例えば、円錐形のヘッドボールのような直径拡張ツールの軸方向への導入によってプラスティック変形範囲で継手の直径の拡張からなる第４ステップは、上述されていることと同一である。
【０１４７】
拡張の最後で、第４シール干渉接触部は（その第１内側面ＳＩ１の範囲内で）第１リップＬ１の自由端と第２リップの第２外側面ＳＥ２の間に規定される。このように、第４干渉接触部に起因して、その自由端により、そして第２干渉接続部に起因して、第１外側面ＳＥ１の範囲内で拡張している“かかと部”により、第１リップＬ１は、くさびで留められる。
【０１４８】
第１管要素ＥＭが第１シール面ＤＣ３を構成し、可能であれば第２管要素ＥＦが第２シール面ＤＣ４を構成した場合、継手部品の上流及び下流側間のシール仕事における隙間は、第４ステップが完了されると事実上減少される。これは下流側の接触圧を害することなく、上流側の接触圧に増加をもたらす。
【０１４９】
本発明は、例えば、高い又はさらに高い拡張割合、典型的に１０％と３５％の間に抵抗することができる拡張管継手を形成し、一方同時に、拡張の前後両方で高い性能の密閉を有する拡張管継手を形成する。明らかに、本発明は１０％より少ない拡張割合も適用する。
【０１５０】
さらに、本発明は、スリーブ部品の場合、変形が、拡張の間、過度な不均衡になることを防ぎ、それにより、スリーブの中央部分のいずれかの側に形成された拡張ネジ継手の良いシールを形成する。
【０１５１】
さらに、材料が拡張を受けるのに十分なしなやかさを有しているならば、本発明は広範囲の鋼及び合金で実行される。鋼の場合、材料は合金ではないスチール、Ｍｎ鋼、Ｃｒ−Ｍｏ鋼、マイクロ合金鋼、ボロン鋼、又は前述した合成品の組み合わせ（Ｃｒ−Ｍｏ−Ｎｂ−Ｂ鋼）、又は１３％マルテンサイト系Ｃｒ鋼、２２又は２５％クロムオースチン-フェライト二重鋼、その他オーステナイト鋼である。例えばＣ−Ｍｎ鋼は、ＣＯ2を含んでいる腐食的な井戸のために、腐食的ではない井戸、他に０．２％Ｃ及び１３％Ｃｒ鋼（ヨーロッパ基準によるＸ２ＯＣｒ１３及びアメリカ基準によるＡＩＳＩ４２０）のために使用される。
【０１５２】
さらに、材料は、選択された値よりも大きい降伏点又は選択された値以内を有するように熱処理されてもよい。最小降伏点は、例えば、３００ＭＰａから１０００ＭＰａ又はそれ以上までの拡張範囲から選択される。
【０１５３】
本発明は、ただ例を通して、上述されたシール性ネジ管継手の方法及び形態に制限されない。むしろ次の請求項のなかで当業者に想像可能な変形のすべてをカバーする。
【０１５４】
このように、上述の雌雄ネジは、各々が単一部分からなるけれども、それらは、複数の部分からなってもよい。特に、外部圧力に抵抗することを意図した分かれたシール面の使用もまた考えられる。この場合に、前記面は、雌端部の方、又は、ネジの中央のどちらかに配列される。
【図面の簡単な説明】
【０１５５】
【図１】長手方向の小片部で、本発明による拡張可能なネジ継手の形態の部分を示す図表である。
【図２】長手方向の小片部で、ネジ止め及び拡張前の、雌円錐形ネジと、それに合致する雄円錐形ネジの部分を示す図表である。
【図３】長手方向の小片部で、図１の拡張可能なネジ継手の第１管の雄端部分を示す図表である。
【図４】長手方向の小片部で、図１の拡張可能なネジ継手の第２管の雌端部分を示す図表である。
【図５】長手方向の小片部で、最初のネジ止めステップの間に図３及び図４の雄及び雌の管先端に生成された力を示す図表である
【図６】長手方向の小片部で、第２のネジ止めステップの間に図３及び図４の雄及び雌の管端部に生成された力を示す図表である。
【図７】長手方向の小片部で、プラスティック変形による拡張段階の間に図３及び図４の雄及び雌の管端部に生成された力を示す図表である。
【図８】長手方向の小片部で、拡張ステップ後の図３及び図４の雄及び雌の管端部に起こった変形を示す図表である。
【図９】長手方向の小片部で、本発明による対称的に配置された二つの拡張可能なネジ継手の組立部品の形態部分を示す図表である。
【図１０】長手方向の小片部で、本発明による拡張可能なネジ継手の第１管の雄端部分の他の形態部分を示す図表である。
【図１１】長手方向の小片部で、本発明による拡張可能なネジ継手の第２管の雌端部分の他の形態部分を示す図表である。
【図１２】長手方向の小片部で、ネジ止め段階の後、図１０及び図１１の雄及び雌管端部分の位置関係を示す図表である。
【図１】
2007512486.tif 000003
【図２】
2007512486.tif 000004
【図３】
2007512486.tif 000005
【図４】
2007512486.tif 000006
【図５】
2007512486.tif 000007
【図６】
2007512486.tif 000008
【図７】
2007512486.tif 000009
【図８】
2007512486.tif 000010
【図９】
2007512486.tif 000011
【図１０】
2007512486.tif 000012
【図１１】
2007512486.tif 000013
【図１２】
2007512486.tif 000014
【国際調査報告】
2007512486.tif 000015
2007512486.tif 000016
2007512486.tif 000017
2007512486.tif 000018